【手続補正書】
【提出日】平成30年3月19日(2018.3.19)
【手続補正１】
【補正対象書類名】特許請求の範囲
【補正対象項目名】全文
【補正方法】変更
【補正の内容】
【特許請求の範囲】
【請求項１】
血管内工程における血管壁において直径を有する血管内の一時的な使用のための血管内マイクロバルブ装置であって、この血管内マイクロバルブ装置は、
ａ）近位端及び遠位端を有する、可撓性外側カテーテルと、
ｂ）オリフィスを有する、近位端及び遠位端を有する、可撓性の内側カテーテルであって、前記内側カテーテルが、前記可撓性外側カテーテルを介して且つ前記可撓性外側カテーテルに対して長手方向に移動可能に伸張する、内側カテーテルと、
ｃ）近位端及び遠位端を有する、フィルタバルブであって、前記フィルタバルブの前記近位端は、前記可撓性外側カテーテルの前記遠位端に結合されており、前記フィルタバルブの前記遠位端は、前記内側カテーテルの前記遠位端に隣接する、前記内側カテーテルに結合されるので、前記可撓性外側カテーテルに対する前記内側カテーテルの長手方向の移動が、非展開形態から展開形態へ前記フィルタバルブを移動させる、フィルタバルブと、を具備しており、
前記フィルタバルブは、近位部と遠位部とを有しており、更に、前記フィルタバルブの最大直径は、前記近位部と前記遠位部との間において画定されており、
前記近位部は、前記遠位部に対して増大された半径方向の力を発揮しており、更に、前記遠位部は、５００μｍを超えない孔径を画定する、多孔質ポリマー材料の形態のフィルタの被覆を具備し、
一旦、該フィルタバルブが前記血管内において該展開状態にあると、該フィルタバルブは、該フィルタバルブの周りの局部的流体圧力に応じて動的に調整可能であり、従って、前記フィルタバルブが血管内に位置しかつ前記局部的流体圧力が前記フィルタバルブの近位側においてより高い場合に、前記フィルタバルブは、前記フィルタバルブの周りの流体流れが可能にされるように、前記血管の直径よりも小さい第１の直径を有する、形態を呈しており、更に、
前記フィルタバルブが血管内に位置しかつ該局部的流体圧力が前記フィルタバルブの遠位側においてより高い場合に、前記フィルタバルブは、前記第１の直径に比べて比較的より大きい第２の直径を有していて且つ前記フィルタバルブが血管壁に接触するように適合される、形態を呈する、ことを特徴とする血管内マイクロバルブ装置。
【請求項２】
前記フィルタバルブは、第１の数のフィラメント状部から構成される、編組されたフィラメント状構造を具備する、近位部と、前記第１の数よりも少ない第２の数のフィラメント状部の構成を具備する、遠位部と、を有している、ことを特徴とする請求項１に記載の血管内マイクロバルブ装置。
【請求項３】
前記フィルタバルブは、編組されたフィラメント状構造を具備する、近位部と、編組されない螺旋状に巻き付けられたフィラメント状構造を具備する、遠位部と、を有している、ことを特徴とする請求項１に記載の血管内マイクロバルブ装置。
【請求項４】
前記近位部の前記編組されたフィラメント状構造は、第１の数のフィラメントを具備しており、更に、前記遠位部の前記編組されない螺旋状に巻き付けられたフィラメントは、第２の数のフィラメントを具備しており、更に、前記第１の数は、前記第２の数よりも大きい、ことを特徴とする請求項３に記載の血管内マイクロバルブ装置。
【請求項５】
前記螺旋状に巻き付けられたフィラメント状構造は、共通の回転方向において伸びる、フィラメントにより基本的に構成される、ことを特徴とする請求項３に記載の血管内マイクロバルブ装置。
【請求項６】
前記螺旋状に巻き付けられたフィラメント状構造は、時計回り及び反時計回りの回転方向の両方において伸びる、フィラメントを具備する、ことを特徴とする請求項３に記載の血管内マイクロバルブ装置。
【請求項７】
前記螺旋状に巻き付けられたフィラメント状構造は、フィラメントを具備しており、更に、前記フィラメントは、前記フィルタバルブが前記非展開形態にある時に、第１の巻き方向に伸びており、更に、前記フィルタバルブが前記非展開形態から前記展開形態に移動された時に、前記フィラメントは、前記第１の巻き方向に対して巻き方向を反対にする、ことを特徴とする請求項３に記載の血管内マイクロバルブ装置。
【請求項８】
前記近位部は、フィラメント状編組を具備しており、更に、前記遠位部は、フィラメント状編組なしで構成される、ことを特徴とする請求項１に記載の血管内マイクロバルブ装置。
【請求項９】
前記近位部及び前記遠位部の各々は、フィラメント状編組を有しており、前記近位部の前記フィラメント状編組は、前記遠位部の前記フィラメント状編組とは異なる構造特性を有する、ことを特徴とする請求項１に記載の血管内マイクロバルブ装置。
【請求項１０】
前記近位部は、第１のフィラメントを有するフィラメント状編組を具備しており、更に、前記遠位部は、第２のフィラメントを有するフィラメント状編組を具備しており、
前記第１のフィラメントは、前記第２のフィラメントに対して増大された半径方向のばね力を有する、ことを特徴とする請求項１に記載の血管内マイクロバルブ装置。
【請求項１１】
前記フィルタバルブは、前記フィルタバルブの近位部上においてフィルタの被覆を更に具備する、ことを特徴とする請求項１〜１０のいずれか一項に記載の血管内マイクロバルブ装置。
【請求項１２】
前記フィルタの被覆は、前記フィルタバルブの上において同質である、ことを特徴とする請求項１〜１１のいずれか一項に記載の血管内マイクロバルブ装置。
【請求項１３】
前記フィルタの被覆は、前記フィルタバルブの上において異質に配設される、ことを特徴とする請求項１１に記載の血管内マイクロバルブ装置。
【請求項１４】
前記フィルタの被覆は、前記フィルタバルブの近位部においてより小さな孔を有する、ことを特徴とする請求項１３に記載の血管内マイクロバルブ装置。
【請求項１５】
前記非展開形態において、前記フィルタバルブは、形状が凸状である、遠位面を具備しており、更に、前記展開形態において、前記フィルタバルブの前記遠位面は、平面状又は凹状である、ことを特徴とする請求項１〜１４のいずれか一項に記載の血管内マイクロバルブ装置。
【請求項１６】
非展開形態において、前記フィルタバルブは、その長さの少なくとも５０％を超えて遠位に先細りしており、更に、展開形態において、前記フィルタバルブの前記遠位端は、前記フィルタバルブの最大直径を有する、ことを特徴とする請求項１〜１５のいずれか一項に記載の血管内マイクロバルブ装置。
【請求項１７】
第１のフィラメントの編組は、可変な編組角度を有する、ことを特徴とする請求項１〜１６のいずれか一項に記載の血管内マイクロバルブ装置。
【請求項１８】
前記編組角度は、前記フィルタバルブの近位部を横切ってより小さく、更に、前記フィルタバルブの遠位部を横切ってより大きい、ことを特徴とする請求項１７に記載の血管内マイクロバルブ装置。
【請求項１９】
前記展開形態にある前記フィルタバルブは、実質的に横長の球状の又は円錐台形の形状を形成する、ことを特徴とする請求項１〜１８のいずれか一項に記載の血管内マイクロバルブ装置。
【請求項２０】
前記フィルタバルブの前記フィルタの被覆は、該フィルタバルブの周りの流体圧力条件が変化する際に、形状を変更し更に前記フィルタバルブと共に移動するように、前記フィルタを制約する、ことを特徴とする請求項１〜１９のいずれか一項に記載の血管内マイクロバルブ装置。
【請求項２１】
前記内側カテーテルの前記遠位端は、第１の放射線不透過性マーカを有し、前記可撓性外側カテーテルの前記遠位端は、第２の放射線不透過性マーカを有し、更に、
前記内側カテーテルは、前記第１の放射線不透過性マーカから長手方向に偏倚する、第３の放射線不透過性マーカを具備しており、
前記第１の放射線不透過性マーカと前記第２の放射線不透過性マーカと前記第３の放射線不透過性マーカの相対的位置は、前記フィルタバルブの形態を示す、ことを特徴とする請求項１〜２０のいずれか一項に記載の血管内マイクロバルブ装置。